(57)【要約】【課題】車椅子の牽引に際し、牽引部材を迅速に引き出す。【解決手段】先端にフック１２を有する左右一対のベルト状の牽引部材８を巻装した巻き軸７の夫々に、牽引部材８を巻取り方向に付勢する付勢手段１４を設け、左右の巻き軸７を連動する様に組み付けた従動機構部１７と駆動源１５を設けた原動機構部１６とを、駆動源１５に連動して両機構部１６、１７を断続するクラッチ１８を介して連繋し、従動機構部１７にはクラッチ１８による両機構部１６、１７の連結解除時に巻き軸７を回転制止又は回転自在に制御するロック手段２２を設けることにより、車椅子Ｗの乗降に際し、駆動源１５の停止状態で手動操作にて牽引部材８を迅速に引き出せる様にすると共に、付勢手段１４により牽引部材８を自動的に巻き取らせ、又駆動源１５の作動により牽引部材８を巻取り又は繰り出すことにより、車椅子Ｗの乗降を補助する。【選択図】        図１
2004357879.tif 000002
【特許請求の範囲】
【請求項１】
車椅子乗降用のスロープを装備した車両の車室内に設けられ、先端にフックを有する牽引部材を巻装した巻き軸に、牽引部材を巻取り方向に付勢する付勢手段を設け、巻き軸を設けた従動機構部と駆動源を設けた原動機構部とを、駆動源に連動して両機構部を断続するクラッチを介して連繋し、従動機構部にはクラッチによる両機構部の連結解除時に巻き軸を回転制止又は回転自在に制御するロック手段を設けたことを特徴とする車椅子の乗降補助装置。
【請求項２】
ロック手段は、牽引部材が全部引き出された時に、巻き軸を回転制止する様に設定されたことを特徴とする請求項１記載の車椅子の乗降補助装置。
【請求項３】
牽引部材は左右一対の巻き軸の夫々に巻装され、該巻き軸は連動する様に従動機構部に組み付けられたことを特徴とする請求項１、２記載の車椅子の乗降補助装置。
【請求項４】
巻き軸は垂直に支持され、牽引部材は上下方向に幅を有する薄肉な帯状のベルトから成ることを特徴とする請求項１、２又は３記載の車椅子の乗降補助装置。
【請求項５】
牽引部材は、上下動自在に支持されたガイド部材のスリットに摺動自在に挿通したことを特徴とする請求項４記載の車椅子の乗降補助装置。
【発明の詳細な説明】
【０００１】
【発明の属する技術分野】
本発明は、車椅子利用者が車椅子ごと乗降する際に用いられる乗降補助装置に関する。
【０００２】
【従来の技術】
従来、後部に設けた車椅子専用の乗降口にスロープを装備し、このスロープを介護者の誘導によって上り下りすることにより、身障者等が車椅子に座ったまま乗り降り出来る様にした車両が見受けられる。
この様な車両では、車内に車椅子牽引用の電動ウインチを搭載し、このウインチから引き出した索条等の牽引部材先端のフックを車椅子に係止し、牽引部材をウインチが巻き取る又は繰り出すことにより、スロープを上り下りする時に介護者が車椅子を押し出す力又は支える力を補助し、車椅子に座った状態で安全に乗降させる補助装置を装備している（例えば、特許文献１参照）。
【０００３】
【特許文献１】
登録実用新案第３０３２２９４号公報
【０００４】
【発明が解決しようとする課題】
上記装置によって介護者の負担は軽減されるものであるが、ウインチは電動であるため、車外の車椅子まで巻き取られている牽引部材を引き出すのに時間を要しており、特に、雨などの天候の悪い時には、準備に手間取って迅速に乗車させられないといった課題を有していた。
【０００５】
【課題を解決するための手段】
本発明は、上記課題に鑑み、車椅子乗降用のスロープを装備した車両の車室内に設けられ、先端にフックを有する左右一対のベルト状の牽引部材を巻装した巻き軸の夫々に、牽引部材を巻取り方向に付勢する付勢手段を設け、左右の巻き軸を連動する様に組み付けた従動機構部と駆動源を設けた原動機構部とを、駆動源に連動して両機構部を断続するクラッチを介して連繋することにより、車椅子の乗降に際し、駆動源の停止状態で手動操作にて牽引部材を迅速に引き出せる様にすると共に、付勢手段により牽引部材を自動的に巻き取らせ、又駆動源の作動により牽引部材８を巻取り又は繰り出すことにより、車椅子の乗降を補助する様にして上記課題を解決する。
又、従動機構部にはクラッチによる両機構部の連結解除時に巻き軸を回転制止又は回転自在に制御するロック手段を設け、駆動源の停止状態における牽引部材の上記引出し及び巻取り以外では、巻き軸を回転制止させ、車室内で車椅子を繋いだ牽引部材が勝手に伸縮することを防止し、車椅子を定位置に固定する。
【０００６】
【発明の実施の形態】
以下本発明の一実施例を図面に基づいて説明する。
図１〜７に示す乗降補助装置は、後部がバックドアにて開閉されると共に、車室内後部側に車椅子乗車空間を形成した車両において、車椅子乗車空間の車体フロア１前方に設置している。
そして、この車両はバックドアを備えた乗降口に車椅子乗降用のスロープ（図示せず）が装備されている。
【０００７】
乗降補助装置は、前部が車幅方向に長く、後部がそれよりも短い平面視略Ｔ字状の箱体２に内装されている。
箱体２底部の第一ベース３は箱体２と平面視形状が略同一に形成され、第一ベース３の前部上方には、その前部全体に対応した横長矩形状のウインチベース４を水平配置し、ウインチベース４の上方には、第一ベース３後部と同幅で第一ベース３前後部の奥行きを有する矩形状の第二ベース５を水平配置し、第二ベース５の前部上方の中央には、ウインチベース４と奥行きが略同一で第二ベース５より幅小なバネベース６を水平配置している。
【０００８】
ウインチベース４の略中央には、左右一対の巻き軸７を回転自在に垂直支持し、その下端部はウインチベース４を貫通して第一ベース３上で軸受けされ、上端部は第二ベース５及びバネベース６を貫通してバネベース６上に設置したバネケース６ａ内で軸受けされている。
ウインチベース４における左右の巻き軸７の夫々には、上下に幅を有する薄肉帯状の合成繊維製ベルトから成る牽引部材８を巻装し、ウインチベース４の左右端上方には、この左右端形状と略同一のベースカバー９を第二ベース５と同一平面上に配し、箱体２においてウインチベース４左右端後部に対応する側壁２ａに牽引部材８の挿通口１０を形成している。
挿通口１０近傍には、牽引部材８を摺動自在に挿通支持するガイド部材１１を設けており、該ガイド部材１１は、略三角形状に形成され、その底辺側に牽引部材８を挿通する縦長なスリット（牽引部材８の断面形状に略対応）を設け、該スリットに対峙する頂角部１１ａを側壁２ａに枢着し、ガイド部材１１を上下揺動自在に支持している。
又、牽引部材８の先端には、車椅子Ｗのフレームに係止するフック１２を設けており、該フック１２は、牽引部材８の巻取り状態でガイド部材１１に当止めされ、フック１２が箱体２内部に引き入れられることはない。
又、巻き軸７から挿通口１０までの間の適所には、牽引部材８の案内ローラー１３をウインチベース４と第二ベース５の間に複数架設している。
尚、巻き軸７は同一回転方向に巻き取られる様に設定されているため、左側及び右側の巻き軸７は、牽引部材８の繰り出し位置を後部側及び前部側の夫々と成している。
そして、バネケース６ａ内に突入した巻き軸７の上端部には、渦巻きバネから成る付勢手段１４を牽引部材８の巻取り方向に付勢する様に巻着している。
【０００９】
第一ベース３の後部には、正逆回転自在な電動モーターから成る駆動源１５を設けた原動機構部１６を設置し、第二ベース５上には、巻き軸７を組み付けた従動機構部１７を設置し、該従動機構部１７と原動機構部１６とは、該原動機構部１６の駆動源１５に連動して両機構部１６、１７を断続する電磁クラッチ１８を介して連繋しており、このクラッチ１８は駆動源１５の起動に応じ従動機構部１７と原動機構部１６とを連結し、駆動源１５の停止によりその連結を解除する様に成している。
尚、クラッチ１８は、電磁クラッチに限定されず、駆動源１５の起動に応じ従動機構部１７と原動機構部１６とを連結し、駆動源１５の停止によりその連結を解除する様に構成されたものであれば良い。
【００１０】
従動機構部１７は、クラッチ１８を介して原動機構部１６からの動力を巻き軸７に伝動する減速歯車機構であり、クラッチ１８を介して原動機構部１６からの動力が直接伝動される作動歯車１９に介装歯車２０を介して巻き軸７の夫々に軸着した巻き軸歯車２１を噛合し、作動歯車１９の回転により巻き軸７の夫々が同一方向に回転連動する様に成している。
又、従動機構部１７には、クラッチ１８解除（原動機構部１６と従動機構部１７との連結解除）時に巻き軸７を回転制止又は回転自在に制御するロック手段２２を設けている。
ロック手段２２は、作動歯車１９に着脱自在に噛合するラック２３と、該ラック２３を作動させる動作機構部２４とから成る。
ラック２３は、その基体が前後方向に長い矩形板状にして、且つ左側後部の隅角部が鉤状に切欠され、右側縁に作動歯車１９と噛合する歯列を設け、基体の前後には、左右方向に長い長孔２５を設け、該長孔２５に第二ベース５に突設したピン２６を摺動自在に挿通し、長孔２５に沿ってラック２３が作動歯車１９に着脱自在に移動する様に成している。
動作機構部２４は、第二ベース５底部に固定した正逆回転自在な電動モータから成る別途駆動源２７と、該駆動源２７より上方突設すると共に、第二ベース５及びラック２３を遊嵌した駆動軸２７ａに支点が軸着されたレバー２８とから成る。
そして、レバー２８の両端の夫々には、摺動ピン２９、３０を上方突設し、一方の摺動ピン２９は、駆動軸２７ａを中心として第二ベース５に設けられた円弧状の案内孔３１に摺動自在に装着され、他方の摺動ピン３０は、第二ベース５とラック２３の基体の夫々に設けた案内孔３２、３３に摺動自在に装着されている。
第二ベース５に設けた案内孔３２は、駆動軸２７ａを中心とした円弧状の孔であり、この案内孔３２と同一形状にして曲率中心をずらした案内孔３３がラック２３に設けられている。
そして、ラック２３が作動歯車１９より離脱した状態で両案内孔３２、３３の前端部３２ａ、３３ａが重なり、ラック２３が作動歯車１９に噛合した状態で両案内孔３２、３３の後端部３２ｂ、３３ｂが重なる様に設定し、摺動ピン３０が案内孔３２、３３の前端部３２ａ、３３ａに位置した時にラック２３が作動歯車１９より離脱し、後端部３２ｂ、３３ｂに位置した時にラック２３が作動歯車１９に噛合する。
又、ラック２３の駆動源２７は、ラック２３が作動歯車１９に噛合又は離脱した時に停止するマイクロスイッチ３４に接続され、離脱時に駆動源２７を停止させるマイクロスイッチ３４はラック２３の歯列に対峙する左側に設置している。尚、図示例では噛合時に駆動源２７を停止させるマイクロスイッチを省略している。
【００１１】
ロック手段２２は、牽引部材８が全部が繰り出された時に、これを検出してその駆動源２７を作動させ、ラック２３を作動歯車１９に噛合し、巻き軸７を回転制止する様にも設定されている。
即ち、駆動源２７は牽引部材８が全部繰り出されたことを検出する別途マイクロスイッチ３５に接続しており、このマイクロスイッチ３５は、ウインチベース４上において、巻き軸７の牽引部材８の巻取り径が最小（巻き軸径に相当）になった時に牽引部材８がマイクロスイッチ３５のスイッチレバーを押圧する位置に設けられている。
【００１２】
巻き軸７及びロック手段２２（駆動源１５、２７）はリモートコントローラーに設けた自動、手動、巻取り、繰り出し等の各種操作ボタンにより操作されるものにして、自動ボタンをＯＮし、巻取りボタン又は繰り出しボタンを押圧すると、駆動源２７の作動により、ラッチ２３が作動歯車１９より離脱し、同時にクラッチ１８によって原動機構部１６と従動機構部１７が連結して駆動源２７が駆動し、その駆動力により巻き軸７が巻取り方向又は繰り出し方向に回転し、巻取りボタン又は繰り出しボタンを押圧解除すると、クラッチ１８が解除され、原動機構部１６と従動機構部１７との連結が遮断されると共に、駆動源２７によりラッチ２３が作動歯車１９に噛合し、巻き軸７を回転制止状態と成す様に設定されている。
又、手動ボタンをＯＮすると、駆動源２７の作動により、ラッチ２３が作動歯車１９より離脱し、巻き軸７を回転自在と成し、ＯＦＦすると、逆にラッチ２３が作動歯車１９に噛合し、巻き軸７を回転制止状態と成す様に設定されている。
【００１３】
次に、乗降補助装置の動作を説明する。
先ず、牽引部材８の引出し前状態では、駆動源１５が停止してクラッチ１８により、原動機構部１６と従動機構部１７との連結は遮断されており、作動歯車１９にラック２３が噛合している。
そして、車外の車椅子Ｗをその利用者と共に乗車させる場合には、以下の手順で行われる。
（１）  スロープのセット
車両後部のドアを開いて車椅子用乗降口を開口すると共に、その乗降口からスロープを地上へ掛け渡す。
（２）  車椅子への牽引部材の連結
リモートコントローラーの手動ボタンをＯＮすることにより、ロック手段２２の駆動源２７を作動させ、ラック２３を作動歯車１９より離脱させる。
これにより、巻き軸７は回転自在な状態となり、付勢手段１４の弾性力に抗してフック１２を引出し、スロープ手前の車椅子Ｗのフレームにフック１２を係止する。
このフック１２の引出し時において、牽引部材８が全部引き出されると、牽引部材８の基端側がマイクロスイッチ３５のスイッチレバーをＯＮし、駆動源２７を作動させ、ラック２３が作動歯車１９に噛合し、巻き軸７を回転制止させる。
（３）  車椅子の乗車
リモートコントローラーの自動ボタンをＯＮし、巻取りボタンを押すと、先ず駆動源２７が作動してラック２３を作動歯車１９より離脱させ、クラッチ１８が原動機構部１６と従動機構部１７とを連結すると共に、駆動源１５が巻取り方向に作動する。
これにより、巻き軸７が牽引部材８を巻取り、車椅子Ｗを牽引することにより、車椅子Ｗはスロープを経て車内へ移動する。
尚、牽引時には、駆動源１５の駆動力と付勢手段１４の弾性力により、車椅子Ｗは牽引される。
この移動中、車椅子Ｗの位置により、車椅子Ｗに連結されている牽引部材８は、斜め下方から上方へ指向しながら巻き戻されるが、牽引部材８はガイド部材１１のスリットを挿通すると共に、牽引部材８の方向に応じてガイド部材１１が上下するため、牽引部材８の帯形状が崩れずその形態が保持され、巻取り案内される。そして、車椅子Ｗが車室内の定位置に到達した時点で、巻取りボタンの押圧を解除すると、駆動源１５が作動停止し、車椅子Ｗの牽引が完了する。
この時、クラッチ１８が解除され、同時に駆動源２７の作動により、ラック２３が作動歯車１９に噛合し、巻き軸７を回転制止状態と成し、牽引部材８はそれ以上伸縮しない。
車椅子Ｗは、牽引部材８によりそのフレームの前方が繋ぎ止められ、フレーム後方を車体フロア１に装備した適宜拘束手段（図示せず）により拘束することにより、車椅子Ｗが車体フロア１に固定される。
【００１４】
次に、車椅子Ｗを降車させるには、以下の手順で行われる。
（１）  車椅子の降車
先ず、拘束手段による車椅子Ｗフレーム後方の拘束を解除し、乗車時と同様に車両後部のドアを開けると共に、スロープを地上へ掛け渡す。
そして、リモートコントローラーの自動ボタンをＯＮし、繰り出しボタンを押すと、先ず駆動源２７が作動してラック２３を作動歯車１９より離脱させ、クラッチ１８が原動機構部１６と従動機構部１７とを連結すると共に、駆動源１５が上記とは逆の繰り出し方向に作動し、巻き軸７が牽引部材８を繰り出し、その繰り出し長さに応じ車椅子Ｗを車外方向へ後退させ、スロープを経て地上へ移動させる。
車椅子Ｗが地上に到達した時点で、繰り出しボタンの押圧を解除すると、駆動源１５が作動停止し、車椅子Ｗの牽引が完了する。
この時、クラッチ１８が解除され、同時に駆動源２７の作動により、ラック２３が作動歯車１９に噛合し、巻き軸７を回転制止状態と成し、付勢手段１４による牽引部材８の自動巻取りを抑止する。
尚、この際、牽引部材８が全部引き出された場合には、マイクロスイッチ３５により、ラック２３が作動歯車１９に噛合し、上記と同様に自動巻取りを抑止する。
（２）  牽引部材の連結解除
車外の車椅子Ｗからフック１２を取り外し、手動ボタンをＯＮすることにて、駆動源２７を作動させてラック２３を作動歯車１９から離脱させることにより、巻き軸７を回転自在な状態と成し、同時に付勢手段１４の弾性力により、牽引部材８は自動的に巻き取られ、その後手動ボタンをＯＦＦすることにより、駆動源２７が作動し、ラッチ２３が作動歯車１９に噛合する。
【００１５】
【発明の効果】
要するに本発明は、先端にフック１２を有する牽引部材８を巻装した巻き軸７に、牽引部材８を巻取り方向に付勢する付勢手段１４を設け、巻き軸７を設けた従動機構部１７と駆動源１５を設けた原動機構部１６とを、駆動源１５に連動して両機構部１６、１７を断続するクラッチ１８を介して連繋したので、車椅子Ｗにフック１２を係止する際には、手動で以て牽引部材８を迅速に引き出すことができると共に、車椅子Ｗからフック１２を外した際には、付勢手段１４の弾性力により、迅速に牽引部材８を巻き戻すことができ、電動ウインチにて繰り出し及び巻き戻しを行っていた従来手法に比しその作業を飛躍的に短縮できる。
又、車椅子Ｗの乗降時には従来同様に牽引部材８の牽引及び繰り出しにより車椅子Ｗを介護者の負担を軽減して安全に乗降させられると共に、牽引時は、駆動源１５の駆動力に合わせて付勢手段１４の付勢力が加わるため駆動源１５の負荷を低減でき、繰り出し時には付勢手段１４の付勢力が一種のブレーキ作用となるため、特に車椅子Ｗのスロープ下り時における安全性を向上できる。
しかも、従動機構部１７にはクラッチ１８による両機構部１６、１７の連結解除時に巻き軸７を回転制止又は回転自在に制御するロック手段２２を設けたので、該ロック手段２２により巻き軸７を回転自在な状態と成すことにより、上記の如く、牽引部材８を自由に引出し及び巻き戻しできる様にし、車椅子Ｗの乗車完了時に、ロック手段２２にて巻き軸７を回転制止状態に保持することにより、原動機構部１６と従動機構部１７との連結が遮断されていても、牽引部材８が勝手に伸縮することなく、牽引部材８にて車椅子Ｗを拘束して車室内の定位置に保持できる。
【００１６】
ロック手段２２は、牽引部材８が全部引き出された時に、巻き軸７を回転制止する様に設定したので、牽引部材８を全部引き出した時にフック１２から手が離れても牽引部材８が勝手に巻き戻されることがなく便利である。
【００１７】
牽引部材８は、左右一対の巻き軸７の夫々に巻装し、該巻き軸７は連動する様に従動機構部１７に組み付けたので、車椅子Ｗのフレームの左右にフック１２を介して牽引部材８を連結できると共に、左右の牽引部材８の伸縮長さが一定のため、車椅子Ｗの乗降時の移動が安定し、介護者による車椅子Ｗの誘導が楽に行え、又牽引部材８の巻取り及び繰り出しを一駆動源１５にて操作できる。
【００１８】
巻き軸７は垂直に支持して成るので、牽引部材８を全部巻き取った状態であっも、巻き軸を水平支持した場合に比し、巻取り径が上下方向に大きくならず、乗降補助装置全体を扁平化でき、その装置を車体フロア１上に設置した場合の突出度合を極力小さくできると共に、牽引部材８は上下方向に幅を有する薄肉な帯状のベルトから成るので、巻取り状態が収まりよく、乗降補助装置をよりコンパクト化できる。
【００１９】
牽引部材８は、上下動自在に支持されたガイド部材１１のスリットに摺動自在に挿通したので、車椅子Ｗの牽引時において、牽引部材８の傾きの変位に応じガイド部材１１が上下するため、牽引部材８の帯形状が崩れず、その形態が保持されながらスムーズに巻取り案内でき、巻取り中に牽引部材８が捩れたり、ひしゃげたりした状態で正常に巻き取られず、牽引部材８が絡まってしまう様な不具合を解消できる等その実用的効果甚だ大である。
【図面の簡単な説明】
【図１】乗降補助装置の側面図である。
【図２】同上平面図である。
【図３】同上正面図である。
【図４】図３のＡーＡ断面図である。
【図５】図３のＢーＢ断面図である。
【図６】図３のＣーＣ断面図である。
【図７】図５の要部拡大図である。
【符号の説明】
７  巻き軸
８  牽引部材
１１  ガイド部材
１２  フック
１４  付勢手段
１５  駆動源
１６  原動機構部
１７  従動機構部
１８  クラッチ
２２  ロック手段
【図１】
2004357879.tif 000003
【図２】
2004357879.tif 000004
【図３】
2004357879.tif 000005
【図４】
2004357879.tif 000006
【図５】
2004357879.tif 000007
【図６】
2004357879.tif 000008
【図７】
2004357879.tif 000009